(57)【要約】【課題】ブレーキパッドの両端部の摩擦材の物性を適切化するブレーキパッド用摩擦材の金型、製造装置、製造方法、予備成形物およびブレーキパッドを提供することを課題とする。【解決手段】ブレーキパッド用摩擦材の金型であって、ブレーキパッド用摩擦材の粉体材料が投入される型枠に嵌る金型部材と、前記金型部材の表面のうち前記型枠に投入される前記粉体材料に当接する領域を形成する押圧面であって、前記押圧面の両端部側から中心部側へ向かうにつれて徐々に窪む凹状の押圧面と、を備える。【選択図】図１Ａ
2019163858.tif 000002
【特許請求の範囲】
【請求項１】
ブレーキパッド用摩擦材の粉体材料が投入される型枠に嵌る金型部材と、
前記金型部材の表面のうち前記型枠に投入される前記粉体材料に当接する領域を形成する押圧面であって、前記押圧面の両端部側から中心部側へ向かうにつれて徐々に窪む凹状の押圧面と、を備える、
ブレーキパッド用摩擦材の金型。
【請求項２】
前記押圧面は、ブレーキロータの内周側に対応する部分からブレーキロータの外周側に対応する部分へ向かって傾斜している、
請求項１に記載のブレーキパッド用摩擦材の金型。
【請求項３】
前記押圧面は、前記両端部に平坦な部分を有する、
請求項１または２に記載のブレーキパッド用摩擦材の金型。
【請求項４】
ブレーキパッド用摩擦材の粉体材料が投入される型枠と、
前記型枠に嵌る金型部材と、
前記金型部材の表面のうち前記型枠に投入される前記粉体材料に当接する領域を形成する押圧面であって、前記押圧面の両端部側から中心部側へ向かうにつれて徐々に窪む凹状の押圧面と、
前記金型部材を押圧し、前記型枠に投入される前記粉体材料を前記押圧面で加圧成形する押圧手段と、を備える、
ブレーキパッド用摩擦材の製造装置。
【請求項５】
金型部材が嵌る型枠にブレーキパッド用摩擦材の粉体材料を投入し、
前記金型部材を押圧し、前記金型部材の表面のうち前記型枠に投入される前記粉体材料に当接する領域を形成する押圧面であって前記押圧面の両端部側から中心部側へ向かうにつれて徐々に窪む凹状の押圧面で、前記型枠に投入される前記粉体材料を加圧成形する、
ブレーキパッド用摩擦材の製造方法。
【請求項６】
ブレーキパッド用摩擦材の粉体材料を加圧成形した予備成形物と、
前記予備成形物の表面のうちブレーキロータに接触する摩擦面を形成することになる摩擦面形成領域であって、前記摩擦面形成領域の両端部側から中心部側へ向かうにつれて徐々に膨らむ凸状の摩擦面形成領域と、を備える、
ブレーキパッド用摩擦材の予備成形物。
【請求項７】
ブレーキパッド用摩擦材の粉体材料を熱成形した熱成形物と、
前記熱成形物の表面の一部を形成し、ブレーキロータに接触する摩擦面と、を備え、
前記熱成形物は、少なくとも両端部の硬度または密度が中心部よりも高くない、
ブレーキパッド。
【発明の詳細な説明】
【技術分野】
【０００１】
本発明は、ブレーキパッド用摩擦材の金型、製造装置、製造方法、予備成形物およびブレーキパッドに関する。
【背景技術】
【０００２】
ブレーキパッドには、制動時の鳴きを防止することを目的とした面取り部分（チャンファー部という場合もある）が両端部に設けられる（例えば、特許文献１を参照）。ブレーキパッドの摩擦材は、通常、硬度や密度等の物性が概ね均一となるような設計上の配慮がなされている（例えば、特許文献２−４を参照）。
【先行技術文献】
【特許文献】
【０００３】
【特許文献１】特開２０１１−１３２９９１号公報
【特許文献２】特開２００６−８３９７８号公報
【特許文献３】特開２０１１−１２７７１０号公報
【特許文献４】特開２０１１−１５８００６号公報
【発明の概要】
【発明が解決しようとする課題】
【０００４】
ブレーキパッドの制動時の鳴きは、両端部における摩擦材の硬度や密度が中心部よりも高いと発生しやすくなる傾向にある。しかし、粉体材料を金型に入れて圧縮成形する場合、金型に投入された粉体材料のうち金型に接触する部分の粉体材料が圧縮力や熱を比較的受けやすいため、両端部における摩擦材の硬度や密度が中心部よりも比較的高くなりやすい。
【０００５】
本発明は、このような課題に鑑みてなされたものであり、ブレーキパッドの両端部の摩擦材の物性を適切化するブレーキパッド用摩擦材の金型、製造装置、製造方法、予備成形物およびブレーキパッドを提供することを課題とする。
【課題を解決するための手段】
【０００６】
本発明は、上記課題を解決するため、ブレーキパッド用摩擦材の粉体材料を押圧成形する金型の押圧面を、押圧面の両端部側から中心部側へ向かうにつれて徐々に窪む凹状の面にした。
【０００７】
詳細には、ブレーキパッド用摩擦材の金型であって、ブレーキパッド用摩擦材の粉体材料が投入される型枠に嵌る金型部材と、前記金型部材の表面のうち前記型枠に投入される前記粉体材料に当接する領域を形成する押圧面であって、前記押圧面の両端部側から中心部側へ向かうにつれて徐々に窪む凹状の押圧面と、を備える。
【０００８】
ブレーキパッドの摩擦材は、通常、摩擦材の粉体材料を予備成形した後、押圧面に押圧されながら加熱加圧成形される。予備成形後の粉体材料は概ね固められた状態となっているため、流動性は失われている。一方、押圧成形前の粉体材料は、金型の押圧面の形状に合わせて流動できる。
【０００９】
そこで、上記金型は、粉体材料を押圧して成形する金型であり、粉体材料が投入される型枠に嵌る金型部材を備えている。また、金型部材の表面のうち型枠に投入される粉体材
料に当接する領域には、粉体材料を押圧する押圧面を備えている。押圧面は、両端部側から中心部側へ向かうにつれて徐々に窪む凹状の面を形成しているため、流動性が失われる前の粉体材料が投入される型枠に金型部材が嵌り、押圧面が粉体材料を押圧すると、型枠内の粉体材料が押圧面の形状に合わせて流動することになる。その結果、上記金型は、粉体材料を押圧面の両端部側から中心部側へ寄せ集め、予備成形物のうち摩擦面を形成することになる面を、両端部側から中心部側へ向かうにつれて徐々に膨らむ凸状に形成する。
【００１０】
上記金型によって成形された予備成形物は、摩擦面を形成することになる面が両端部側から中心部側へ向かうにつれて徐々に膨らむ凸状に形成されており、且つ予備成形後の粉体材料は概ね固められた状態となっていて流動性が既に失われているため、平らな摩擦面を形成する金型にて加圧成形を行うと、少なくとも両端部の硬度や密度が中心部より高くなりにくい。よって、上記金型によって成形した予備成形物から製造したブレーキパッドであれば、ブレーキパッドの両端部の摩擦材の物性を適切化できる。
【００１１】
なお、前記押圧面は、ブレーキロータの内周側に対応する部分からブレーキロータの外周側に対応する部分へ向かって傾斜していてもよい。ブレーキロータの外周側の部分は内周側の部分に比べて車軸からの距離が遠くなるため、ブレーキロータの外周側の部分の周速は、ブレーキロータの内周側の部分の周速に比べて速い。しかし、押圧面が、ブレーキロータの内周側に対応する部分からブレーキロータの外周側に対応する部分へ向かって傾くように傾斜していれば、上記金型は、予備成形物のうち摩擦面を形成することになる面を、ブレーキロータの内周側に対応する部分から外周側に対応する部分へ向かうに従って徐々に膨らむように形成することになる。このように形成された予備成形物を、平らな摩擦面を形成する金型にて加圧成形すると、少なくとも外周側の密度や硬度が内周側よりも低くなりにくい。よって、回転するブレーキロータの周速に応じて物性が適切化できる。
【００１２】
また、前記押圧面は、前記両端部に平坦な部分を有するものであってもよい。押圧面の両端部に平坦な部分があれば、鳴き等の防止を目的とする摩擦材の面取り部分の物性が概ね均一となるため、面取り部分が強度的に安定する。
【００１３】
また、本発明は、製造装置としての側面から捉えることも可能である。例えば、本発明は、ブレーキパッド用摩擦材の製造装置であって、ブレーキパッド用摩擦材の粉体材料が投入される型枠と、前記型枠に嵌る金型部材と、前記金型部材の表面のうち前記型枠に投入される前記粉体材料に当接する領域を形成する押圧面であって、前記押圧面の両端部側から中心部側へ向かうにつれて徐々に窪む凹状の押圧面と、前記金型部材を押圧し、前記型枠に投入される前記粉体材料を前記押圧面で加圧成形する押圧手段と、を備えるものであってもよい。
【００１４】
また、本発明は、製造方法としての側面から捉えることも可能である。例えば、本発明は、ブレーキパッド用摩擦材の製造方法であって、金型部材が嵌る型枠にブレーキパッド用摩擦材の粉体材料を投入し、前記金型部材を押圧し、前記金型部材の表面のうち前記型枠に投入される前記粉体材料に当接する領域を形成する押圧面であって前記押圧面の両端部側から中心部側へ向かうにつれて徐々に窪む凹状の押圧面で、前記型枠に投入される前記粉体材料を加圧成形するものであってもよい。
【００１５】
また、本発明は、中間生成物としての側面から捉えることも可能である。例えば、本発明は、ブレーキパッド用摩擦材の予備成形物であって、ブレーキパッド用摩擦材の粉体材料を加圧成形した予備成形物と、前記予備成形物の表面のうちブレーキロータに接触する摩擦面を形成することになる摩擦面形成領域であって、前記摩擦面形成領域の両端部側から中心部側へ向かうにつれて徐々に膨らむ凸状の摩擦面形成領域と、を備えるものであってもよい。
【００１６】
また、本発明は、最終製品としての側面から捉えることも可能である。例えば、本発明は、ブレーキパッドであって、ブレーキパッド用摩擦材の粉体材料を熱成形した熱成形物と、前記熱成形物の表面の一部を形成し、ブレーキロータに接触する摩擦面と、を備え、前記熱成形物は、少なくとも両端部の硬度または密度が中心部よりも高くない。
【発明の効果】
【００１７】
上記ブレーキパッド用摩擦材の金型、製造装置、製造方法、予備成形物およびブレーキパッドであれば、ブレーキパッドの両端部の摩擦材の物性を適切化することが可能となる。
【図面の簡単な説明】
【００１８】
【図１Ａ】実施形態に係るブレーキパッド用摩擦材の金型を示した図の第１例である。
【図１Ｂ】実施形態に係るブレーキパッド用摩擦材の金型を示した図の第２例である。
【図２Ａ】金型の押圧面の形状をポリゴン表示した図の第１例である。
【図２Ｂ】金型の押圧面の形状をポリゴン表示した図の第２例である。
【図３】金型を使ったブレーキパッド用摩擦材の製造方法を示した図の一例である。
【図４Ａ】ブレーキパッドの製造方法を示した図の第１例である。
【図４Ｂ】ブレーキパッドの製造方法を示した図の第２例である。
【図５】ブレーキパッドの摩擦面上を摺動するブレーキロータの周速を矢印で表した図の一例である。
【発明を実施するための形態】
【００１９】
以下、本願発明の実施形態について説明する。以下に示す実施形態は、本願発明の一態様を例示したものであり、本願発明の技術的範囲を以下の態様に限定するものではない。
【００２０】
図１Ａは、実施形態に係るブレーキパッド用摩擦材の金型を示した図の第１例である。金型１は、ディスクブレーキに適用されるブレーキパッドの摩擦材を予備成形するための金型であり、金型部材２と押圧面３とを備える。金型部材２は、ブレーキパッド用摩擦材の粉体材料が投入される型枠に嵌る。押圧面３は、金型部材２の表面のうち型枠に投入される粉体材料に当接する領域を形成する面である。押圧面３は、図１ＡのＡ−Ａ断面図が示すように、押圧面３が凹状に窪んでいる。押圧面３の片側半分は、Ａ−Ａ断面に対して直交する仮想直線を軸とする円弧に沿って窪んでいる。そして、押圧面３は、左右対称に形成されている。よって、押圧面３は、押圧面３の端部Ｔ側から中心部Ｃ側へ向かうにつれて徐々に窪む凹状の曲面を形成するが、ブレーキロータの内周側に対応する部分Ｎからブレーキロータの外周側に対応する部分Ｇへ向かっては傾斜しない。なお、押圧面３は、両端部に平坦な部分を有している。
【００２１】
ところで、図１Ａでは、押圧面３の中心線の延長線と直交する第２の仮想直線を軸とする円弧に沿って窪む態様を採っているが、本実施形態に係る金型１は、そのような態様に限定されるものではない。図１Ｂは、実施形態に係るブレーキパッド用摩擦材の金型を示した図の第２例である。本実施形態に係る金型１は、例えば、図１Ｂに示すように、Ａ−Ａ断面が押圧面３の中心線に対してΘ度だけ傾けられており、そのような角度に傾いたＡ−Ａ断面に対して直交する第１の仮想直線の延長線と直交する第２の仮想直線を軸とする円弧に沿って窪む態様を採ってもよい。また、本実施形態に係る金型１は、押圧面３の中心線に対してΘ度未満に傾いた第１の仮想直線の延長線と直交する第２の仮想直線を軸とする円弧に沿って窪む態様を採ってもよいし、押圧面３の中心線に対してΘ度よりも大きく傾いた第１の仮想直線の延長線と直交する第２の仮想直線を軸とする円弧に沿って窪む
態様を採ってもよい。押圧面３の中心線に対する第１の仮想直線の傾きを大きくすると、ブレーキロータの外周側に対応する部分の硬度や密度が内周側よりも更に低くなりにくい。
【００２２】
図２Ａは、金型１の押圧面３の形状をポリゴン表示した図の第１例である。押圧面３は、押圧面３の端部Ｔ側から中心部Ｃ側へ向かうにつれて徐々に窪む凹状の曲面を形成している。すなわち、押圧面３は、長手方向における２つの端部Ｔ側から中心部Ｃ側へ向かうにつれて徐々に窪む凹状の曲面を形成するが、ブレーキロータの内周側に対応する部分Ｎからブレーキロータの外周側に対応する部分Ｇへ向かっては傾斜しない。そして、押圧面３は、両端部に平坦な部分を有している。
【００２３】
なお、Ａ−Ａ断面が押圧面３の中心線に対してΘ度だけ傾けられており、そのような角度に傾いたＡ−Ａ断面に対して直交する第１の仮想直線の延長線と直交する第２の仮想直線を軸とする円弧に沿って窪む態様を採った場合、金型１の押圧面３は次のようになる。図２Ｂは、金型１の押圧面３の形状をポリゴン表示した図の第２例である。押圧面３の中心線の延長線と直交する第２の仮想直線を軸とする円弧に沿って窪む態様を採った場合、金型１の押圧面３は、押圧面３の端部Ｔ側から中心部Ｃ側へ向かうにつれて徐々に窪み、更に、ブレーキロータの内周側に対応する部分Ｎからブレーキロータの外周側に対応する部分Ｇへ向かって傾斜する。なお、押圧面３は、図２Ａに示した金型１と同様、両端部に平坦な部分を有している。
【００２４】
本実施形態に係る金型１は、押圧面３がこのように形成されているため、この金型１を使って予備成形した予備成形物は次のような形態を呈する。
【００２５】
図３は、金型１を使ったブレーキパッド用摩擦材の製造方法を示した図の一例である。上記金型１を使って予備成形を行う場合、金型１が嵌る型枠４内に粉体材料５を投入する（図３（Ａ））。次に、型枠４内に投入された粉体材料５を上型６（金型１）と下型７とで挟むように図示しないプレス機（本願でいう「押圧手段」の一例である）で押圧する（図３（Ｂ））。これにより、型枠４内には、粉体材料５を加圧成形した予備成形物８が残留する（図３（Ｃ））。なお、実施形態に係る金型１は、図３に示したように、上型６として用いる態様に限定されるものでなく、下型７として適用することも可能である。実施形態に係る金型１を下型７として適用する場合、予備成形物８をプレッシャプレートと共に熱成形し、プレッシャプレートに圧着させるべく、上型６は、図３に示す下型７のように、粉体材料５を押圧する面を平坦にすることが好ましい。
【００２６】
金型１の押圧面３は、両端部側から中心部側へ向かうにつれて徐々に窪む凹状の曲面を形成しているため、流動性が失われる前の粉体材料が型枠４に投入され、押圧面３が粉体材料を押圧すると、型枠４内の粉体材料が押圧面３の形状に合わせて流動することになる。その結果、金型１は、予備成形物８のうち摩擦面を形成することになる面を、両端部側から中心部側へ向かうにつれて徐々に膨らむ凸状に形成することになる。また、鳴き等の防止を目的として摩擦材の面取り部分が設けられることになる両端部については、平坦に形成されることになる。
【００２７】
すなわち、実施形態に係る金型１の押圧面３が、押圧面３の端部Ｔ側から中心部Ｃ側へ向かうにつれて徐々に窪む凹状の曲面を形成しており、更に、部分Ｎ側から部分Ｇ側へ向かって傾斜しているため、予備成形物８は、粉体材料５を加圧成形した予備成形物８と、予備成形物８の表面のうちブレーキロータに接触する摩擦面を形成することになる摩擦面形成領域９であって、摩擦面形成領域９の両端部側から中心部側へ向かうにつれて徐々に膨らむ凸状の摩擦面形成領域９と、を備えることになる。この予備成形物８をプレッシャプレートと共に加圧しながら熱成形し、通常の工程である加熱、研摩、表面焼き、及び塗
装等を経て、以下のようなブレーキパッドが出来る。
【００２８】
図４Ａは、ブレーキパッドの製造方法を示した図の第１例である。上記予備成形物８を使って予備成形を行う場合、予備成形物８を嵌めた型枠１０にプレッシャプレート１３を載せる（図４Ａ（Ａ））。次に、型枠１０内に嵌められた予備成形物８を下型１１がプレッシャプレート１３に押し付けるようにプレス機で押圧する（図４Ａ（Ｂ））。型枠１０や下型１１は、ヒータで加熱されているものとする。また、予備成形物８を押圧する下型１１の押圧面１２は、平坦である。型枠１０内に嵌められた予備成形物８を下型１１でプレッシャプレート１３に押し付けるようにプレス機で押圧すると、熱成形された摩擦材１５がプレッシャプレート１３に圧着され、ブレーキパッド１４が出来上がる（図４Ａ（Ｃ））。上記予備成形物８から熱成形した摩擦材１５は、次のような物性を呈する。
【００２９】
摩擦材１５は、両端部側から中心部側へ向かうにつれて徐々に膨らむ凸状の摩擦面形成領域９を有する予備成形物８から熱成形したものである。そして、摩擦材１５を構成する粉体材料は、予備成形によって概ね固められた状態となっており、流動性が失われている。このため、予備成形物８から熱成形した摩擦材１５は、少なくとも両端部の硬度や密度が中心部より高くなりにくい。また、摩擦材１５は、両端部が平坦な予備成形物８を熱成形したものであるため、鳴き等の防止を目的として面取り部分が形成されることになる両端部については、硬度や密度が概ね均一な物性を呈することになり、面取り加工が施された場合であっても面取り部分が強度的に安定する。
【００３０】
なお、図２Ｂに示した金型１を用いた場合、予備成形物８の摩擦面形成領域９は、ブレーキロータの外周側に対応する部分Ｇ側からブレーキロータの内周側に対応する部分Ｎ側へ向かって傾斜することになる。換言すると、予備成形物８は、中心部付近およびブレーキロータの外周側に対応する部分が厚く、両端部付近およびブレーキロータの内周側に対応する部分が薄くなる。この予備成形物８から熱成形した摩擦材１５は、次のような物性を呈する。
【００３１】
すなわち、図２Ｂに示した金型１を用いた場合、摩擦材１５は、ブレーキロータの内周側に対応する部分Ｎ側からブレーキロータの外周側に対応する部分Ｇ側へ向かうにつれて徐々に盛り上がっている予備成形物８から熱成形したものとなるため、このような予備成形物８から熱成形した摩擦材１５は、少なくとも外周側の密度や硬度が内周側よりも低くなりにくい。
【００３２】
ところで、摩擦材１５の面取り部分は、熱成形、加熱等の熱処理後に研削加工を施して形成してもよいが、例えば、下型１１の押圧面１２の両端部を盛り上げて斜めの傾斜を設けておいてもよい。図４Ｂは、ブレーキパッドの製造方法を示した図の第２例である。下型１１の押圧面１２の両端部を盛り上げて斜めの傾斜を設けておけば、図４Ｂに示すように、熱成形と同時に摩擦材１５の両端部に面取り加工を施すことができる。
【００３３】
図５は、ブレーキパッドの摩擦面上を摺動するブレーキロータの周速を矢印で表した図の一例である。ブレーキパッドの摩擦面上を摺動するブレーキロータの周速は、摩擦面内で一様ではない。例えば、ディスクブレーキのブレーキロータは、外周側の周速が内周側の周速よりも速い。このため、摩擦材の摩耗は、ブレーキロータの外周側に対応する部分の方が内周側に対応する部分よりも進行しやすい。しかし、図２Ｂに示す金型１で作った予備成形物８から熱成形した摩擦材１５であれば、両端部の硬度や密度が中心部より高くなりにくく、また、少なくとも外周側の密度や硬度が内周側よりも低くなりにくいため、摩擦材の摩耗等がより一様に進行することになり、回転するブレーキロータの周速に応じて適切化した摩擦材の物性が実現することになる。
【符号の説明】
【００３４】
１・・金型：２・・金型部材：３・・押圧面：４・・型枠：５・・粉体材料：６・・上型：７・・下型：８・・予備成形物：９・・摩擦面形成領域：１０・・型枠：１１・・下型：１２・・押圧面：１３・・プレッシャプレート：１４・・ブレーキパッド：１５・・摩擦材
【図１Ａ】
2019163858.tif 000003
【図１Ｂ】
2019163858.tif 000004
【図２Ａ】
2019163858.tif 000005
【図２Ｂ】
2019163858.tif 000006
【図３】
2019163858.tif 000007
【図４Ａ】
2019163858.tif 000008
【図４Ｂ】
2019163858.tif 000009
【図５】
2019163858.tif 000010
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
ブレーキパッド用摩擦材の粉体材料が投入される型枠に嵌る金型部材と、
前記金型部材の表面のうち前記型枠に投入される前記粉体材料に当接する領域を形成する押圧面であって、前記押圧面の両端部側から中心部側へ向かうにつれて円弧に沿って徐々に窪む凹状曲面の押圧面と、
前記押圧面に対向する他の押圧面であり、前記金型によって成形された摩擦材がプレッシャプレートに接触することになる領域を形成する平らな他の押圧面と、を備える、
ブレーキパッド用摩擦材の金型。
【請求項２】
ブレーキパッド用摩擦材の粉体材料が投入される型枠と、
前記型枠に嵌る金型部材と、
前記金型部材の表面のうち前記型枠に投入される前記粉体材料に当接する領域を形成する押圧面であって、前記押圧面の両端部側から中心部側へ向かうにつれて円弧に沿って徐々に窪む凹状曲面の押圧面と、
前記押圧面に対向する他の押圧面であり、前記金型によって成形された摩擦材がプレッシャプレートに接触することになる領域を形成する平らな他の押圧面と、を備える、
ブレーキパッド用摩擦材の製造装置。
【請求項３】
金型部材が嵌る型枠にブレーキパッド用摩擦材の粉体材料を投入し、
前記金型部材を押圧し、前記金型部材の表面のうち前記型枠に投入される前記粉体材料に当接する領域を形成する押圧面であって前記押圧面の両端部側から中心部側へ向かうにつれて円弧に沿って徐々に窪む凹状曲面の押圧面と、前記押圧面に対向する他の押圧面であり前記金型によって成形された摩擦材がプレッシャプレートに接触することになる領域を形成する平らな他の押圧面で、前記型枠に投入される前記粉体材料を加圧成形する、
ブレーキパッド用摩擦材の製造方法。
【請求項４】
ブレーキパッド用摩擦材の粉体材料を加圧成形した予備成形物であって、
前記予備成形物の表面のうちブレーキロータに接触する摩擦面を形成することになる摩擦面形成領域であって、前記摩擦面形成領域の両端部側から中心部側へ向かうにつれて円弧に沿って徐々に膨らむ凸状の曲面の摩擦面形成領域と、
前記摩擦面形成領域の反対側にあり、プレッシャプレートに接触することになる平らな領域と、を備える、
ブレーキパッド用摩擦材の予備成形物。